(57)【要約】【課題】表示制御コンピュータと携帯端末装置との連動のためのマッピングサーバー及びマッピング方法を提供する。【解決手段】本発明の一つの実施形態によるマッピングサーバーは、ネットワーク上で識別された表示制御コンピュータによって制御されるディスプレイ部の全部または一部のディスプレイ領域上に表示される色情報を含む端末コール信号に関する情報を保存し、表示制御コンピュータによってディスプレイ領域上に表示された端末コール信号を、光センサーを介して認識した携帯端末装置が発生させた携帯端末装置の応答信号を受信して、表示制御コンピュータと携帯端末装置との間でデータの交換及び共有のうち何れか一つまたは両方が行われるように、端末コール信号と応答信号とを互いにマッピングさせることによって、表示制御コンピュータと携帯端末装置とをネットワーク上でリンクさせる。【選択図】図１
2014002746.tif 000002
【特許請求の範囲】
【請求項１】
ネットワーク上で識別された表示制御コンピュータによって制御されるディスプレイ部の全部または一部のディスプレイ領域上に表示される色情報を含む端末コール信号に関する情報を保存し、
前記表示制御コンピュータによって前記ディスプレイ領域上に表示された前記端末コール信号を、光センサーを介して認識した携帯端末装置が発生させた前記携帯端末装置の応答信号を受信して、
前記表示制御コンピュータと前記携帯端末装置との間でデータの交換及び共有のうち何れか一つまたは両方が行われるように、前記端末コール信号と前記応答信号とを互いにマッピング（ｍａｐｐｉｎｇ）させることによって、前記表示制御コンピュータと前記携帯端末装置とをネットワーク上でリンクさせるマッピングサーバー。
【請求項２】
前記端末コール信号に関する情報は、前記表示制御コンピュータの要請によって前記マッピングサーバーによって生成されて前記表示制御コンピュータに伝送されるか、または前記表示制御コンピュータによって独自に生成されて前記マッピングサーバーに伝送されることを特徴とする請求項１に記載のマッピングサーバー。
【請求項３】
前記色情報は、複数の色が経時的に変化する色シーケンス情報を含むことを特徴とする請求項１に記載のマッピングサーバー。
【請求項４】
前記複数の色は、有彩色及び無彩色のうち何れか一つまたは両方を含むことを特徴とする請求項３に記載のマッピングサーバー。
【請求項５】
前記色シーケンス情報は、有彩色と無彩色とが経時的に交互になる色シーケンス情報を含むことを特徴とする請求項３に記載のマッピングサーバー。
【請求項６】
前記色シーケンス情報は、互いに隣接する先行の色と後行の色が相異なる対照比を有することを特徴とする請求項３に記載のマッピングサーバー。
【請求項７】
前記色シーケンス情報は、所定の時間間隔で繰り返されることを特徴とする請求項３に記載のマッピングサーバー。
【請求項８】
前記端末コール信号は、複数の相異なるものであり、前記複数の端末コール信号は、前記ディスプレイ領域上で互いに離隔されたコール領域上にそれぞれ表示されることを特徴とする請求項１に記載のマッピングサーバー。
【請求項９】
前記端末コール信号は、前記コール領域に対応する位置情報をさらに含むことを特徴とする請求項８に記載のマッピングサーバー。
【請求項１０】
前記応答信号は、前記携帯端末装置の識別子情報を含むことを特徴とする請求項１に記載のマッピングサーバー。
【請求項１１】
前記識別子情報は、ＩＰ（Ｉｎｔｅｒｎｅｔ Ｐｒｏｔｏｃｏｌ）アドレス、ＭＡＣ（Ｍｅｄｉａ Ａｃｃｅｓｓ Ｃｏｎｔｒｏｌ）アドレス、モデムシリアルナンバー、ネットワーク装置のシリアルナンバー、システムボードのシリアルナンバー、ユーザ個人識別情報、及び電話番号,UDID（Unique Device Identification）、ハードウェアモデル名のうち何れか一つまたはこれらの組合わせで構成されることを特徴とする請求項１０に記載のマッピングサーバー。
【請求項１２】
前記ディスプレイ部は、タッチスクリーン・インターフェースを備えるテーブル型であることを特徴とする請求項１に記載のマッピングサーバー。
【請求項１３】
前記携帯端末装置、ユーザの指または道具によって前記タッチスクリーン・インターフェースにタッチイベントが発生する場合、前記ディスプレイ領域の前記タッチイベントが発生した領域に前記色情報が表示されるコール領域が定義されることを特徴とする請求項１２に記載のマッピングサーバー。
【請求項１４】
前記マッピングサーバーはサービス提供部を備え、
前記サービス提供部は、メッセージの送受信、電子決済、マルチメディアコンテンツ情報の交換及び共有、ゲーム、飲酒、教育、講義または会議のためのサービスを提供することを特徴とする請求項１に記載のマッピングサーバー。
【請求項１５】
ネットワーク上で識別された表示制御コンピュータによって制御されるディスプレイ部の全部または一部のディスプレイ領域上に表示される色情報を含む端末コール信号に関する情報をマッピングサーバーに保存するステップと、
前記表示制御コンピュータによって前記ディスプレイ領域上に表示された前記端末コール信号を、光センサーを介して認識した携帯端末装置が発生させた前記携帯端末装置の応答信号を、前記マッピングサーバーが受信するステップと、
前記表示制御コンピュータと前記携帯端末装置との間でデータの交換及び共有のうち何れか一つまたは両方が行われるように、前記マッピングサーバーが前記端末コール信号と前記応答信号とをマッピングさせることによって、前記表示制御コンピュータと前記携帯端末装置とをネットワーク上でリンクさせるステップと、を含むマッピング方法。
【請求項１６】
前記ネットワーク上での前記表示制御コンピュータの識別は、前記表示制御コンピュータで実行されるコンピュータ用アプリケーションを実行させることによって前記マッピングサーバーにログインするステップによって行われることを特徴とする請求項１５に記載のマッピング方法。
【請求項１７】
前記応答信号は、前記携帯端末装置の識別子情報を含むことを特徴とする請求項１６に記載のマッピング方法。
【請求項１８】
前記携帯端末で実行される端末用アプリケーションを実行させることによって前記マッピングサーバーにログインするステップによって、前記携帯端末装置の識別子情報が前記マッピングサーバーに伝送されることを特徴とする請求項１５に記載のマッピング方法。
【請求項１９】
ネットワーク上で識別されたディスプレイ制御コンピュータによって制御されるディスプレイ部の全部または一部のディスプレイ領域上に表示される色情報を含む端末コール信号を表示するステップと、
携帯端末装置の応答信号を生成するために、前記携帯端末装置上の光センサーにより前記端末コール信号を認識するステップと、
前記端末コール信号と前記応答信号とを互にマップさせて、前記ディスプレイ制御コンピュータと前記携帯端末装置とをネットワーク上でリンクさせ、前記ディスプレイ制御コンピュータと前記携帯端末装置のデータ交換と共有のいずれか、または両方を実行するステップと、を含むマッピング方法。
【請求項２０】
前記端末コール信号を認識するステップは、前記携帯端末装置の光センサーを前記ディスプレイ部の全部または一部のディスプレイ領域と接触させて実行することを特徴とする請求項１９に記載のマッピング方法。
【請求項２１】
ネットワーク上で識別されたディスプレイ制御コンピュータによって制御される表示部の全部または一部のディスプレイ領域上に表示される色情報を含む端末コール信号を表示し、
携帯端末装置上の光センサーによって前記端末コール信号を認識して前記携帯端末装置の応答信号を生成し、
前記端末コール信号と前記応答信号とを互にマップさせて、前記ディスプレイ制御コンピュータと前記携帯端末装置とをネットワーク上でリンクさせ、前記ディスプレイ制御コンピュータと前記携帯端末装置とのデータの交換と共有のうち、いずれかまたは両方を行うことを特徴とするディスプレイ制御コンピュータ及び携帯端末装置を有するシステム。
【請求項２２】
前記色情報は、複数の色が経時的に変化する色シーケンス情報を含むことを特徴とする請求項２１に記載のディスプレイ制御コンピュータ及び携帯端末装置を有するシステム。
【請求項２３】
前記端末コール信号は、前記ディスプレイ部の全部または一部のディスプレイ領域に、前記携帯用端末装置の前記光センサーが接触した状態で認識されることを特徴とする請求項２１に記載のディスプレイ制御コンピュータ及び携帯端末装置を有するシステム。
【請求項２４】
ネットワーク上で識別されたディスプレイ制御コンピュータによって制御されるディスプレイ部の全部または一部のディスプレイ領域上に表示されるカラー情報を含む端末コール信号を表示するステップと、
携帯端末装置上の光センサーによって前記端末コール信号を認識して前記携帯端末装置の応答信号を生成するステップと、
前記端末コール信号と前記応答信号とを互いにマップさせて、前記ディスプレイ制御コンピュータと前記携帯端末装置とをネットワーク上でリンクさせ、前記ディスプレイ制御コンピュータと前記携帯端末装置とのデータの交換と共有のうち、いずれかまたは両方を行うステップと、を含むことを特徴とするデータ処理方法。
【請求項２５】
前記端末コール信号は、前記ディスプレイ部の全部または一部のディスプレイ領域に前記携帯用端末装置の前記光センサーが接触した状態で認識されることを特徴とする請求項２４に記載のデータ処理方法。
【請求項２６】
ネットワーク上で識別されたディスプレイ制御コンピュータによって制御されるディスプレイ部の全部または一部のディスプレイ領域上に表示される色情報を含む端末コール信号を携帯端末装置の光センサーによって認識し、
前記光センサーによって認識された前記端末コール信号に対応する前記携帯端末装置の応答信号を生成してマッピング・サーバーに伝送し、
前記マッピング・サーバーが前記端末コール信号と前記応答信号とを互いにマップさせて、前記ディスプレイ制御コンピュータと前記携帯端末装置とがネットワーク上でリンクされれば、前記携帯端末装置が前記ディスプレイ制御コンピュータとのデータの交換と共有のうち、いずれかまたは両方を行う携帯端末装置。
【請求項２７】
前記端末コール信号は、前記ディスプレイ部の全部または一部のディスプレイ領域に、前記携帯用端末装置の前記光センサーが接触した状態で認識されることを特徴とする請求項２６に記載の携帯端末装置。
【請求項２８】
ネットワーク上で識別されたディスプレイ制御コンピュータによって制御されるディスプレイ部の全部または一部のディスプレイ領域上に表示される色情報を含む端末コール信号を、携帯端末装置の光センサーによって認識するステップと、
前記光センサーによって認識された前記端末コール信号に対応する前記携帯端末装置の応答信号を生成してマッピング・サーバーに伝送するステップと、
前記マッピング・サーバーが、前記端末コール信号と前記応答信号とを互いにマップさせて、前記ディスプレイ制御コンピュータと前記携帯端末装置とをネットワーク上でリンクさせ、前記携帯端末装置が前記ディスプレイ制御コンピュータとのデータの交換と共有のうち、いずれかまたは両方を行うステップと、を含むデータ処理方法。
【請求項２９】
前記端末コール信号は、前記ディスプレイ部の全部または一部のディスプレイ領域に、前記携帯用端末装置の前記光センサーが接触した状態で認識されることを特徴とする請求項２８に記載のデータ処理方法。
【請求項３０】
前記携帯端末装置で実行される端末用アプリケーションを実行させて、前記マッピング・サーバーにログインするステップによって、前記携帯端末装置の識別子情報が前記マッピング・サーバーに伝送されることを特徴とする請求項２９に記載のデータ処理方法。
【請求項３１】
ネットワーク上で識別され、ディスプレイ部を有するコンピュータであって、
前記ディスプレイ部の全部または一部のディスプレイ領域上に表示される色情報を含む端末コール信号を表示し、
光センサーを有する携帯端末装置が、前記光センサーを前記ディスプレイ領域と接触して認識した前記端末コール信号に対応する応答信号及び前記端末コール信号によってマップされてリンクされた前記携帯端末装置とデータの交換と共有のうち、いずれかまたは両方を行うディスプレイ制御コンピュータ。
【請求項３２】
ネットワーク上で識別されたディスプレイ制御コンピュータによって制御されるディスプレイ部の全部または一部のディスプレイ領域上に表示される色情報を含む端末コール信号を表示するステップと、
光センサーを有する携帯端末装置が、前記光センサーを前記ディスプレイ領域と接触して認識した前記端末コール信号に対応する応答信号及び前記端末コール信号によってマップされてリンクされた前記携帯端末装置とデータの交換と共有のうち、いずれかまたは両方を行うステップと、を含むことを特徴とするデータ処理方法。
【請求項３３】
ディスプレイ部と、
前記ディスプレイ部の全部または一部のディスプレイ領域上に表示される色情報を含む端末コール信号を表示するように前記ディスプレイ部を制御し、第１ネットワークに連結されている制御部と、を備え、
前記第１ネットワークと同一であり、または他の第２ネットワーク上に連結されており、前記端末コール信号を受信するための光センサー・モジュールを有する携帯端末装置が、前記ディスプレイ部と接触して認識された前記端末コール信号に応答して、前記第２ネットワークを介して応答信号を送り、前記携帯端末装置とマップされれば、前記応答信号に基づき命令を行うディスプレイ制御コンピュータ。
【請求項３４】
前記応答信号に基づく命令は、前記ディスプレイ制御コンピュータと前記携帯端末装置との間の情報伝達、情報交換、情報共有、ペアリング、認証、権限管理、ドア開閉、電力制御及びモーター制御のうち、いずれか一つ以上であることを特徴とする請求項３３に記載のディスプレイ制御コンピュータ。
【請求項３５】
前記第１ネットワーク及び第２ネットワークは、有線ネットワークと無線ネットワークのうちいずれか一つであることを特徴とする請求項３３に記載のディスプレイ制御コンピュータ。
【請求項３６】
前記ディスプレイ制御コンピュータ及び前記携帯端末装置は、スマートＴＶ、広告板、キオスク、料金決栽システム（ＰＯＳ）、クーポン発行機、展示情報案内機、地下鉄駅改札機、デスクトップコンピュータ、タブレットＰＣ、ラップトップコンピュータ、スマートフォン、コンピュータ周辺機器、家電製品、知能型ホーム及び建物制御システム、知能型自動車情報システム、出入セキュリティシステム、認証システム及びナビゲーションシステムのうち、いずれか一つまたはこれらの組み合わせを備えることを特徴とする請求項３５に記載のディスプレイ制御コンピュータ。
【請求項３７】
ディスプレイ部制御コンピュータによって制御されるディスプレイ部の全部または一部のディスプレイ領域上に表示される色情報を含む端末コール信号を認識する光センサー・モジュールを備え、第１ネットワークに連結され、
前記第１ネットワークと同一であり、または他の第２ネットワーク上に連結されている、前記ディスプレイ制御コンピュータが表示する前記端末コール信号を前記光センサーモジュールを通じて認識し、前記端末コール信号に対する応答信号を前記第１ネットワークを介して送って、前記ディスプレイ制御コンピュータとマップされれば、前記応答信号に基づき命令を行う携帯端末装置。
【請求項３８】
前記応答信号に基づく命令は、前記ディスプレイ制御コンピュータと前記携帯端末装置との間の情報伝達、情報交換、情報共有、ペアリング、認証、権限管理、ドア開閉、電力制御及びモーター制御のうち、いずれか一つ以上であることを特徴とする請求項３７に記載の携帯端末装置。
【請求項３９】
前記第１ネットワーク及び第２ネットワークは、有線ネットワークと無線ネットワークのうちいずれか一つであることを特徴とする請求項３７に記載の携帯端末装置。
【請求項４０】
前記ディスプレイ制御コンピュータ及び前記携帯端末装置は、スマートＴＶ、広告板、キオスク、料金決栽システム（ＰＯＳ）、クーポン発行機、展示情報案内機、地下鉄駅改札機、デスクトップコンピュータ、タブレットＰＣ、ラップトップコンピュータ、スマートフォン、コンピュータ周辺機器、家電製品、知能型ホーム及び建物制御システム、知能型自動車情報システム、出入セキュリティシステム、認証システム及びナビゲーションシステムのうち、いずれか一つまたはこれらの組み合わせを備えることを特徴とする請求項３７に記載の携帯端末装置。
【発明の詳細な説明】
【技術分野】
【０００１】
本発明は、モバイルコンピュータ技術に係り、さらに詳細には、表示制御コンピュータと携帯端末装置との連動のためのマッピングサーバー及びマッピング方法に関する。
【背景技術】
【０００２】
現在、無線通信市場で、スマートフォンなどの無線端末の普及の拡大によるアプリケーション市場が大きく活性化されている。無線通信可能な端末は、スマートフォンを代表に、携帯電話、ネットブック、タブレットＰＣ、ｅブック端末のようなモバイルコンピュータ装置に拡大しており、それを基盤として新しいサービスやアプリケーション市場が創出されて、多様なサービスやアプリケーションが提供されている。
【０００３】
コンピュータ装置は、従来のデスクトップＰＣとノート型パソコンの単純な分類体系を越えて、ユビキタス及びクラウド・コンピュータのようなネットワークを基盤とした多様なシステムに進化している。また、中央処理装置及び記憶装置の高集積化及び高容量化と共に向上した移動性及び小型化、また、ネットワーキング技術の発達によって、コンピュータ装置はこれらを搭載可能なすべての応用装置に拡大している。また、異種の装置間、例えば、デスクトップＰＣのような指定されたコンピュータ装置と、スマートフォンのような携帯端末装置との間で同時に作業を行ったり、情報を交換及び／または共有するためのユーザの便宜を図る連動技術と、それを利用した多様なサービスの開発が要求されている。
【０００４】
一般的に、ネットワークのアクセスポイントとなる装置間のデータ通信において、相互間の認識とデータの伝送は有線または無線による連結を必要とする。通常、このような過程は、運営体制レベルでユーザの手動操作を必要としたり、物理的ポートのようなハードウェアによるリソースを扱わなければならないという煩雑さがある。例えば、コンピュータ装置と携帯端末装置とが有線で連結された場合、携帯端末装置のそれぞれのメーカーはその連結規格やフォームファクターが異なり、それぞれの携帯端末装置間の物理的な連結のためには多様な規格を有するポートやアダプターが必要であったり、前記ポートの個数によって連結される装置間の個数が制限されることがある。無線連結の場合は、それぞれの装置においてユーザによる無線ネットワークの選択及び設定が必要であるか、または単一のラン（ＬＡＮ）に連結されねばならないなど、ネットワークによる制約があり得る。
【発明の概要】
【発明が解決しようとする課題】
【０００５】
本発明が解決しようとする技術的課題は、コンピュータ装置と携帯端末装置との接続やデータ通信に関する、さらに多様なサービスとユーザの便宜を図る技術を提供することができるマッピングサーバーを提供することである。
【０００６】
また、本発明が解決しようとする他の技術的課題は、前述のような利点を有するマッピング方法を提供することである。
【課題を解決するための手段】
【０００７】
前記技術的課題を解決するための本発明の一つの実施形態によるマッピングサーバーは、ネットワーク上で識別された表示制御コンピュータによって制御されるディスプレイ部の全部または一部のディスプレイ領域上に表示される色情報を含む端末コール信号に関する情報を保存し、前記表示制御コンピュータによって前記ディスプレイ領域上に表示された前記端末コール信号を、光センサーを介して認識した携帯端末装置が発生させた前記携帯端末装置の応答信号を受信して、前記表示制御コンピュータと前記携帯端末装置との間でデータの交換及び共有のうち何れか一つまたは両方が行われるように、前記端末コール信号と前記応答信号とを互いにマッピング（ｍａｐｐｉｎｇ）させることによって、前記表示制御コンピュータと前記携帯端末装置とをネットワーク上でリンクさせる。
【０００８】
前記端末コール信号に関する情報は、前記表示制御コンピュータの要請によって前記マッピングサーバーによって生成されて前記表示制御コンピュータに伝送されるか、または前記表示制御コンピュータによって独自に生成されて前記マッピングサーバーに伝送されることができる。
【０００９】
前記色情報は、複数の色が経時的に変化する色シーケンス情報を含むことができる。前記複数の色は、有彩色及び無彩色のうち何れか一つまたは両方を含むことができる。一部の実施形態として、前記色シーケンス情報は、有彩色と無彩色とが経時的に交互になる色シーケンス情報を含むことができる。また、前記色シーケンス情報は、互いに隣接する先行の色と後行の色が相異なる対照比を有する。また、前記色シーケンス情報は、所定の時間間隔で繰り返されることができる。
【００１０】
前記端末コール信号は、複数の相異なるものであり、前記複数の端末コール信号は、前記ディスプレイ領域上で互いに離隔されたコール領域上にそれぞれ表示されることができる。この場合、前記端末コール信号は、前記コール領域に対応する位置情報をさらに含むことができる。
【００１１】
一部の実施形態として、前記応答信号は、前記携帯端末装置の識別子情報を含むことができる。前記識別子情報は、ＩＰ（ＩｎｔｅｒｎｅｔＰｒｏｔｏｃｏｌ）アドレス、ＭＡＣ（Ｍｅｄｉａ ＡｃｃｅｓｓＣｏｎｔｒｏｌ）、UDID(Unique Device Identification)、ハードウェアモデル名、アドレス、モデムシリアルナンバー、ネットワーク装置のシリアルナンバー、システムボードのシリアルナンバー、ユーザ個人識別情報、及び電話番号のうち何れか一つまたはこれらの組合わせで構成されることができる。
【００１２】
前記ディスプレイ部は、タッチスクリーン・インターフェースを備えるテーブル型であることができる。また、前記携帯端末装置、ユーザの指または道具によって前記タッチスクリーン・インターフェースにタッチイベントが発生する場合、前記ディスプレイ領域の前記タッチイベントが発生した領域に前記色情報が表示されるコール領域が定義されることができる。
【００１３】
一部の実施形態として、前記マッピングサーバーはサービス提供部を備え、前記サービス提供部は、メッセージの送受信、電子決済、マルチメディアコンテンツ情報の交換及び共有、ゲーム、飲酒、教育、講義または会議のためのサービスを提供することができる。
【００１４】
前記他の技術的課題を解決するための本発明の一つの実施形態によるマッピング方法は、ネットワーク上で識別された表示制御コンピュータによって制御されるディスプレイ部の全部または一部のディスプレイ領域上に表示される色情報を含む端末コール信号に関する情報をマッピングサーバーに保存するステップと、前記表示制御コンピュータによって前記ディスプレイ領域上に表示された前記端末コール信号を、光センサーを介して認識した携帯端末装置が発生させた前記携帯端末装置の応答信号を、前記マッピングサーバーが受信するステップと、前記表示制御コンピュータと前記携帯端末装置との間でデータの交換及び共有のうち何れか一つまたは両方が行われるように、前記マッピングサーバーが前記端末コール信号と前記応答信号とをマッピングさせることによって、前記表示制御コンピュータと前記携帯端末装置とをネットワーク上でリンクさせるステップと、を含む。
【００１５】
前記ネットワーク上での前記表示制御コンピュータの識別は、前記表示制御コンピュータで実行されるコンピュータ用アプリケーションを実行させることによって前記マッピングサーバーにログインするステップによって行われることができる。前記応答信号は、前記携帯端末装置の識別子情報を含み、前記識別子情報が前記マッピングサーバーに伝送されて、前記携帯端末装置がネットワーク上で識別されることができる。他の実施形態として、前記携帯端末で実行される端末用アプリケーションを実行させることによって前記マッピングサーバーにログインするステップによって、前記携帯端末装置の識別子情報が前記マッピングサーバーに伝送され、それにより、ネットワーク上で前記携帯端末装置が識別されることができる。
【発明の効果】
【００１６】
本発明の実施形態によれば、ディスプレイ領域の一つ以上の特定の領域で端末コール信号を発生させ、前記ディスプレイ領域上に位置した端末装置は、光センサーを介して前記端末コール信号を受信して応答信号を発生させ、マッピングサーバーは、前記端末装置の応答信号からディスプレイ装置を制御するコンピュータと前記端末装置とをマッピングさせてネットワーク上にリンクさせることによって、運営体制レベルにおいても複雑なハードウェア的な設定なしでコンピュータ装置と携帯端末装置との接続及びデータ通信を達成することができる。
【００１７】
また、前記ディスプレイ領域がタッチスクリーン・インターフェースと結合されることによって、前記携帯端末装置と表示制御コンピュータとの間及び／または前記携帯端末装置の間で、ドラッグまたはタッチのようなジェスチャーによってデータの共有及び交換が行われる多様なユーザ経験及びインターフェースが提供されることができる。
【図面の簡単な説明】
【００１８】
【図１】本発明の一つの実施形態によるネットワーク上で互いにリンクされた表示制御コンピュータ及び携帯端末装置を示す斜視図である。
【図２】図１に示す表示制御コンピュータ及び携帯端末装置を備えるマッピングシステムの概略を示す構成図である。
【図３】図２に示すマッピングサーバーが生成するマッピング情報を説明するための概念図である。
【図４】本発明の一つの実施形態によるマッピングシステムのマッピング方法を示すフローチャートである。
【図５】本発明の一つの実施形態によるコンピュータで読み取り可能な記憶媒体を示す図である。
【発明を実施するための形態】
【００１９】
以下、添付図面を参照して本発明の好ましい実施形態を詳細に説明する。
【００２０】
本発明の実施形態は、当業者に本発明をさらに完全に説明するために提供されるものであり、下記実施形態は、多様な他の形態に変形され、本発明の技術的範囲が下記実施形態に限定されるものではない。むしろ、これらの実施形態は、本開示をさらに充実で完全にし、当業者に本発明の技術的思想を完全に伝達するために提供されるものである。
【００２１】
また、以下の図面で各層の厚さやサイズは、説明の便宜性及び明確性のために誇張したものであり、図面上で同一の符号は同じ要素を示す。本明細書で使用されたように、用語“及び／または”は、相当する列挙された項目のうち一つ及び一つ以上のあらゆる組み合わせを含む。
【００２２】
本明細書で使用された用語は特定の実施形態を説明するために使用され、本発明を制限するためのものではない。本明細書で使用されたように、単数形態は文脈上他の場合を明確に指摘するものでなければ、複数の形態を含むことができる。また、本明細書で使用される場合、“含む（備える）”及び／または“含み（備え）”は、言及した形状、数字、ステップ、動作、部材、要素及び／またはこれらグループの存在を特定するものであり、一つ以上の他の形状、数字、動作、部材、要素及び／またはグループの存在または付加を排除するものではない。
【００２３】
本明細書で第１、第２などの用語が多様な部材、部品、領域、層及び／または部分を説明するために使用されるが、これら部材、部品、領域、層及び／または部分はこれら用語により限定されてはならないということは明らかである。これら用語は一つの部材、部品、領域または部分を他の領域、層、または部分と区別するためにのみ使用される。したがって、以下、詳述する第１部材、部品、領域、層または部分は、本発明の思想を逸脱せずに第２部材、部品、領域、層または部分を称することができる。
【００２４】
図１は、本発明の一つの実施形態によるネットワーク上で互いにリンクされた表示制御コンピュータ１０及び携帯端末装置４０を示す斜視図である。
【００２５】
図１に示されるように、表示制御コンピュータ１０は、出力手段であるディスプレイ部１１を介して情報を表示し、また、後述するように、ディスプレイ部１１からタッチイベントを認識して情報を処理するようにディスプレイ部１１を制御することができる。表示制御コンピュータ１０としては、例えば、デスクトップ、マルチプロセッサーシステム、マイクロプロセッサー基盤の、またはプログラム可能な電子装置、ネットワークＰＣ、小型コンピュータ、メインフレーム・コンピュータが挙げられる。しかし、これは単に一つの例であり、本発明がこれに制限されるものではない。表示制御コンピュータ１０としては、ネットワークを介して要請された命令を処理可能な適合した中央処理装置（ＣＰＵ）またはマイクロプロセッサー、そして、処理されたデータの臨時及び／または永久保存のためのメモリ、ハードディスク、固相記憶装置（ＳＳＤ）、ＣＤ−ＲＯＭ及びホログラムのような記憶装置を備える任意の適合したコンピュータ装置が挙げられる。
【００２６】
表示制御コンピュータ１０は、図１に示されるように、ディスプレイ部１１と別に固定された位置に存在する単一のシステムであるか、小型化してディスプレイ部１１に結合された内蔵型コンピュータであってもよい。あるいは、表示制御コンピュータ１０は、それを構成するリソースが単一のコンピュータシステム内に存在することに限定されず、クラウドシステムのように、前記リソースが遠隔地に分散した分散システムであってもよい。
【００２７】
ディスプレイ部１１は、発光ディスプレイ素子、または、好ましくは非反射型ディスプレイ素子を備えることができる。例えば、ディスプレイ部１１は、液晶ディスプレイ素子のような手動発光ディスプレイ素子、または、有機／無機発光ダイオード、陰極線管、プラズマディスプレイパネル、及び真空蛍光ディスプレイ素子のような自発光素子を備えることができる。これらのディスプレイ素子は例示的なものであり、本発明がこれに限定されるものではない。ディスプレイ部１１は、他の自発光素子または手動発光素子を備えてもよい。後述するように、ディスプレイ部１１の色情報は、第２情報処理装置４０（以下、第２装置と言う）の光センサーＣＭがディスプレイ部１１の表面と接触することで認識されることができる。この場合、前記色情報は不十分であり、または外部光のない状態で認識されなければならないため、ディスプレイ部１１は非反射型発光素子であることが好ましい。前記光センサーＣＭは、光そのもの、または光に含まれる情報を電気信号に変換して検知する素子であって、好ましくは光センサーモジュールであってもよいが、本発明がこれに限定されるものではない。
【００２８】
ディスプレイ部１１は、典型的なデスクトップモニタータイプに形成されることができるが、ディスプレイ装置の薄膜化、大型化、及びフレキシブル化によって典型的なモニタータイプ以外にも、テーブル、電子掲示板、看板、電子ブック、タブレットＰＣ、スマートＴＶ及びキオスクのように、多様なタイプの視覚情報ディスプレイ装置として具現されることができる。好ましくは、図１に示されるように、ディスプレイ部１１は、ユーザが、会議、作業、読書、食事、飲酒、教育、発表、講義、ゲームのような行為を座ってまたは立って行うことができるテーブルタイプに形成されてもよい。そのために、ディスプレイ部１１は、それを支持するための脚のようなテーブル支持台１３を備えることができる。このようなテーブルタイプのディスプレイ部１１が有する利点は、後述する実施形態によってさらに明らかになる。
【００２９】
ディスプレイ部１１は、前記テーブルの上面にディスプレイ領域ＤＡを有し、タッチイベントを認識するためのタッチスクリーン・インターフェースを備えることができる。前記タッチスクリーン・インターフェースは、複数のタッチ入力が可能なマルチタッチ・インターフェースを備えることができる。前記タッチスクリーン・インターフェースは、当業界で知られているように、静電式または定圧式タッチスクリーン・インターフェースであってもよい。
【００３０】
他の実施形態として、前記タッチスクリーン・インターフェースは、ディスプレイ領域ＤＡの平面に沿ってアレイ状に配列される光センサータイプであってもよい。例えば、ディスプレイ領域ＤＡの所定の領域上に物が置かれたり、身体の接触及びスタイラスペンを利用した行為によってタッチイベントが発生する場合、光センサーは、入射する光量の減少によってタッチを認識し、前記タッチを認識した光センサーの位置は、ディスプレイ領域ＤＡ上で行われた前記タッチイベントの座標を定義する。
【００３１】
さらに他の実施形態として、ディスプレイ部１１の縁部の一側にディスプレイ領域ＤＡを横切って光を放出する発光素子をアレイ状に配置し、前記発光素子が配置される縁部の一側と対向する他側には受光素子をアレイ状に配置して、タッチイベントによる光量の減少によってタッチイベントの位置を定義するインターフェースも可能である。前述のようなタッチスクリーン・インターフェースは例式的なものであり、他の公知の適合した構成を有してもよい。
【００３２】
表示制御コンピュータ１０は、ディスプレイ領域ＤＡの一部に少なくとも一つのコール領域ＣＡを定義し、コール領域ＣＡに端末コール信号を表示する。複数のコール領域ＣＡが存在する場合、これらは互いに重なり合わないように離隔されて配置され、それぞれのコール領域ＣＡに割り当てられる各端末コール信号は相異なるものであってもよい。コール領域ＣＡは、多様な形状及びサイズを有することができ、本発明がこれに制限されるものではない。例えば、図１に示されるように、コール領域ＣＡは、携帯端末装置４０より大きい面積を有してもよく、円形であってもよい。しかし、これは例示的なものであり、コール領域ＣＡは、楕円形、四角形及び五角形のような多角形の形状を有してもよい。
【００３３】
一つの実施形態で、コール領域ＣＡの位置は予め設定されることができる。例えば、ディスプレイ部１１のテーブル状を考慮して、ユーザの位置に隣接するようにコール領域ＣＡを設定することができる。例えば、表示制御コンピュータ１０が四角形の４人用テーブルである場合、コール領域ＣＡは、ディスプレイ領域ＤＡの上端、下端、左端及び右端に４等分された領域のうち何れか一つまたは複数の領域にそれぞれ配置されることができる。図１では、それぞれ左下端及び右下端にコール領域ＣＡ＿１、ＣＡ＿２が設定されている。
【００３４】
他の実施形態として、ディスプレイ部１１が前記タッチスクリーン・インターフェースを備える場合、コール領域は予め設定されず、ディスプレイ領域ＤＡのある個所に携帯端末装置４０が置かれたり、指またはスタイラスペンのような物の接触によるタッチイベントが発生すれば、ディスプレイ領域ＤＡ上で発生した前記タッチイベントの位置が感知され、前記タッチイベントが発生した領域に該当コール領域が生成されることができる。
【００３５】
コール領域ＣＡには、色情報を含む端末コール信号が表示されることができる。コール領域ＣＡ内に表示される前記端末コール信号は、該当コール領域全体を満たす方式により表示されることができる。前記色情報は、一つの色で構成され、または、複数の色が経時的に変化する色シーケンス情報を含むことができる。前記色情報は、赤色、緑色及び青色のような有彩色と、白色、灰色、及び黒色のような無彩色のうち何れか一方または両方を含むことができる。好ましくは、前記色シーケンス情報は、有彩色及び無彩色の一部または全部が経時的に交互になる色シーケンス情報を含むことができる。また、前記色シーケンス情報は、互いに隣接する先行の色と後行の色が相異なる対照比を有することができる。前記対照比は１．５ないし１０７の範囲内であってもよい。
【００３６】
前記第１色シーケンス情報は、例えば、赤色−緑色−青色の順に表示される色情報を有することができ、前記第２色シーケンス情報は、黄色−赤色−青色の順に表示される色情報を有することができる。他の実施形態として、有彩色と無彩色が結合されて、前記第１色シーケンス情報は、赤色−白色−緑色−白色−青色の順に表示される色情報を有することができ、前記第２色シーケンス情報は、黄色−黒色−赤色−白色−青色の順に表示される色情報を有することができる。前述のような第１色シーケンス及び第２色シーケンスの順序及び色種類は例示的なものであり、本発明がこれに制限されるものではない。また、前述のような色シーケンス情報が繰り返される場合、繰り返される色シーケンス情報の間で有彩色及び無彩色が所定の再生時間の間に表示されることで色シーケンス情報が繰り返されることを認識することも可能である。
【００３７】
ユーザに経時的に変化する色シーケンス情報は、コール領域がディスプレイ領域ＤＡでまるで点滅するか、または、色が継続的に変化するように表示されることができる。前述のような色シーケンス情報の全体の再生時間、色シーケンス情報内の個々の色の再生時間は、後述する携帯端末装置４０のカメラＣＭ及び処理速度によって適切に決定されることができ、例えば、色シーケンス情報の全体の再生時間は４秒ないし１０秒の範囲内であり、個々の色の再生時間は、０．１秒ないし２秒の範囲内であってもよい。コンピュータの終了制御があるまでは、色シーケンス情報の表示が繰り返されることができる。
【００３８】
無彩色と有彩色が経時的に交互になったり、先行の色と後行の色が相異なる対照比を有する場合、後述するように、ディスプレイ領域ＤＡが互いに接触することによって、携帯端末装置４０のカメラＣＭが接写方式により前記色シーケンス情報を認識せねばならない場合に、隣接する色の間には、色空間での彩度及び／または明度において大きな差があり、カメラＣＭによる色シーケンス情報の認識率を向上させることができる。前記端末コール信号が前記色シーケンス情報として表示される場合、それぞれの色は所定の時間間隔で表示され、一つの色シーケンス情報が完了すれば、再び同一の色シーケンス情報が繰り返されることができる。
【００３９】
図１に示されるように、表示制御コンピュータ１０によってディスプレイ領域ＤＡ上に２個のコール領域ＣＡ、すなわち、第１コール領域ＣＡ＿１及び第２コール領域ＣＡ＿２が予め設定された場合、第１コール領域ＣＡ＿１には第１色シーケンス情報が表示され、第２コール領域ＣＡ＿２には第２色シーケンス情報が表示されることができる。第１コール領域ＣＡ＿１及び第２コール領域ＣＡ＿２が予め設定された場合、第１色シーケンス情報と第２色シーケンス情報がディスプレイ領域ＤＡに表示されることによって、ユーザは自身の携帯端末装置４０を第１コール領域ＣＡ＿１及び第２コール領域ＣＡ＿２のうち何れか一つの領域に置かなければならないことを直観的に認識することができる。
【００４０】
前述のように、他の実施形態としては、携帯端末装置４０がディスプレイ領域ＤＡのある領域、例えば、左下端に置かれれば、ディスプレイ部１１のタッチスクリーン・インターフェースが携帯端末装置４０のタッチイベントを認識して、携帯端末装置４０が置かれた位置に第１コール領域ＣＡ＿１を定義し、それを活性化することによって、第１コール領域ＣＡ＿１内に第１色シーケンス情報が表示されることができる。同様に、他の携帯端末装置４０が置かれると同時に第２コール領域ＣＡ＿２が活性化され、第２コール領域ＣＡ＿２内に第２色シーケンス情報が表示されることができる。
【００４１】
携帯端末装置４０は、ディスプレイ領域ＤＡのコール領域ＣＡ＿１、ＣＡ＿２に表示される端末コール信号を光センサーＣＭを介して認識することができる。携帯端末装置４０としては、ユーザが携帯しやすい小型の移動通信機器、例えば、携帯電話、ネットブック、タブレットＰＣ、ｅブック端末、ノート型パソコンのようなモバイルコンピュータ装置が挙げられる。好ましくは、携帯端末装置４０は、装置の前面に独自のディスプレイ部ＤＳを備え、背面に光センサーＣＭを備えることができる。代表的に、携帯端末装置４０は、スマートフォンまたはスマートパッドであってもよい。それにより、ユーザは、携帯端末装置４０のディスプレイ部ＤＳを介してリンクのための端末用アプリケーションが駆動されることを視覚的に確認することができ、それに関連するプロセスがディスプレイ部ＤＳを介してユーザに案内されることができる。後述するように、リンクのための端末用アプリケーションが駆動可能であれば、携帯端末装置４０の運営体制またはメーカーを問わず、表示制御コンピュータ１０と携帯端末装置４０との間にリンクが達成されることができる。
【００４２】
携帯端末装置４０の光センサーＣＭまたはカメラは、レンズ、絞り及び撮像素子であるＣＣＤ（Ｃｈａｒｇｅ‐ＣｏｕｐｌｅｄＤｅｖｉｃｅ；電荷結合素子）またはＣＩＳ（ＣＭＯＳ Ｉｍａｇｅ Ｓｅｎｓｏｒ）のような光センサー半導体素子を備えることができる。また、携帯端末装置４０は、カメラＣＭによって感知された光アナログ信号をデジタル信号に変換するＡＤＣ（Ａｎａｌｏｇ−ＤｉｇｉｔａｌＣｏｎｖｅｒｔｅｒ）、変換されたイメージファイルを保存するためのメモリ、及び、撮像感度及び／または色認識力を向上させるための各種の物理的及び電子的フィルターをさらに備えることができる。
【００４３】
一般的に、カメラＣＭが携帯端末装置４０の背面に位置する場合、コール領域ＣＡにディスプレイされる端末コール信号を認識するために、ユーザは、カメラＣＭが位置した携帯端末装置４０の背面をディスプレイ領域ＤＡに向かわせ、好ましくは、携帯端末装置４０の背面をディスプレイ領域ＤＡに接触させて、コール領域ＣＡに表示される端末コール信号をカメラＣＭによって接写させることができる。逆に、カメラＣＭが携帯端末装置４０の前面に位置する場合、ユーザは携帯端末装置４０の前面をディスプレイ領域ＤＡを向かわせることができ、同様に、ディスプレイ領域ＤＡに接触させることもできる。
【００４４】
このように、携帯端末装置４０がテーブル型ディスプレイ部１１に置かれれば、ユーザはハンズフリーになり、後述するように、テーブル型ディスプレイ部１１の他の領域とコール領域との間でドラッグ・アンド・ドロップのようなジェスチャーによってディスプレイ制御装置１０と携帯端末装置４０との間に、メッセージ、情報及び／またはマルチメディアコンテンツの交換及び／または共有、取り引き、教育、講義、食事、飲酒、ゲームなどの行為がさらに容易に行われることができる。
【００４５】
前述のように、ディスプレイ領域ＤＡのコール領域ＣＡで端末コール信号が発生し、前記端末コール信号をコール領域ＣＡに位置する携帯端末装置４０が前記カメラＣＭを介して認識する。その後、携帯端末装置は、前記端末コール信号に対応する応答信号を発生させ、それにより、ネットワーク上に存在するマッピングサーバーがそれらの間で中継することで、表示制御コンピュータ１０と携帯端末装置４０とがリンクされることができる。
【００４６】
図２は、図１に示される表示制御コンピュータ１０及び携帯端末装置４０を備えるマッピングシステムの概略を示す構成図であり、図３は、図２に示されるマッピングサーバーが生成するマッピング情報を説明するための概念図である。前述のような構成要素と同一の参照番号を有する構成要素については、矛盾しない限り前述の開示事項を参照することができ、重複する説明は省略する。
【００４７】
図２に示されるように、マッピングシステム１００は、表示制御コンピュータ１０、携帯端末装置４０及びマッピングサーバー５０を備えることができる。図２で、携帯端末装置４０とネットワーク６０とは無線で、表示制御コンピュータ１０とマッピングサーバー４０とは有線で連結されている。しかし、これは例示的なものであり、ネットワーク６０は、近距離有無線通信網、遠距離有無線通信網、インターネット網、移動通信網が混在したものであっても良く、前記網には、当業界で周知のように、ハブ、ゲートウェイ及びルーターのような中継装置があり得る。
【００４８】
表示制御コンピュータ１０は、ネットワーク６０を介してマッピングサーバー５０に自身が使用すべき端末コール信号に関する情報を要請して、マッピングサーバー５０から前記端末コール信号に関する情報を受信し、これから端末コール信号を表示するようにディスプレイ部１１を制御することができる。
【００４９】
前述のように、前記端末コール信号は、ディスプレイ部１１を介して表示されて、携帯端末装置４０がそのカメラを介して認識すべき色情報を含む信号である。端末コール信号を認識した携帯端末装置４０は、端末コール信号に対応する応答信号を発生させ、応答信号をマッピングサーバー５０に伝送することができる。その後、マッピングサーバー５０は、伝送された前記応答信号を受信して、表示制御コンピュータ１０の前記端末コール信号に関する情報と、前記携帯端末装置４０の応答信号が有する情報とをマッピングさせて、それらをネットワーク上でリンクさせる。
【００５０】
他の実施形態として、前記端末コール信号は、表示制御コンピュータ１０によって独自に生成されることができる。そのために、表示制御コンピュータ１０は、独自に端末コール信号、例えば、色シーケンス情報を構成するためのライブラリーを有するか、またはマッピングサーバー５０にそれを要請してもよく、それを利用して端末コール信号を生成して、ディスプレイ部１１を介してそれを表示することができる。この場合、表示制御コンピュータ１０は、独自に生成した端末コール信号に関する情報をマッピングサーバー５０に伝送することができる。
【００５１】
表示制御コンピュータ１０は、マッピングサーバー５０に端末コール信号を要請すると同時にコンピュータ識別子情報を伝送することができる。または、表示制御コンピュータ１０は、独自に端末コール信号を生成すると同時に、マッピングサーバー５０に前記端末コール信号に関する情報をコンピュータ識別子情報と共に伝送することも可能である。
【００５２】
前記コンピュータ識別子情報は、ネットワーク上で連結された多数のコンピュータのうち、表示制御コンピュータ１０を認識するための固有の情報であってもよい。表示制御コンピュータ１０の識別子情報は、ＩＰ（ＩｎｔｅｒｎｅｔＰｒｏｔｏｃｏｌ）アドレス、ＭＡＣ（Ｍｅｄｉａ Ａｃｃｅｓｓ Ｃｏｎｔｒｏｌ）アドレス、モデムシリアルナンバー、ネットワーク装置のシリアルナンバー、システムボードのシリアルナンバー及びユーザの個人識別情報のうち何れか一つまたはこれらの組合で構成されることができる。
【００５３】
このように、表示制御コンピュータ１０の識別子情報がマッピングサーバー５０に伝送されれば、マッピングサーバー５０は、該当表示制御コンピュータで使用される一つ以上の端末コール信号に関する情報及びコンピュータ識別子情報を保存して管理する。前記端末コール信号に関する情報及びコンピュータ識別子情報の保存はマッピングサーバー５０のデータベースで行われることができる。
【００５４】
表示制御コンピュータ１０は、ディスプレイ部１１以外にディスプレイ部１１を制御する制御部３０、例えば、中央処理装置またはマイクロプロセッサーを備えることができ、制御部３０は、携帯端末装置４０とのリンクのためのコンピュータ用アプリケーション３１を実行することができる。また、表示制御コンピュータ１０は、ネットワーク上で通信のための有線通信部３３及び無線通信部３５を備えることができる。
【００５５】
コンピュータ用アプリケーション３１は、表示制御コンピュータ１０に含まれた、例示された構成要素を直接的に、または運営体制を介して制御することができ、マッピングサーバー５０との間で端末コール信号に関する情報及びマッピング情報を送受信し、マッピングサーバー５０から提供される各種のサービスに関連した作業を行い、携帯端末装置４０とのメッセージ、情報及び／またはマルチメディアコンテンツの交換及び／または共有、取り引き、ゲームに関連する作業を行うように表示制御コンピュータ１０にインストールされるプログラムである。一部の実施形態として、コンピュータ用アプリケーション３１は、ログインインターフェースを備えることができ、コンピュータ用アプリケーション３１がユーザによって実行されるとき、ログイン・ステップが活性化しつつ、表示制御コンピュータ１０の識別子情報がマッピングサーバー５０に予め伝送されることがきる。
【００５６】
コンピュータ用アプリケーション３１は、表示制御コンピュータ１０のユーザによって、及び／または、前述の作業の内容によって適合したＵＩ（Ｕｓｅｒ  Ｉｎｔｅｒｆａｃｅ）を提供することができる。例えば、テーブル型表示制御コンピュータ１０がレストランに配置された場合、該当レストランで提供する料理メニューを提供することができる。また、マッピングサーバー５０と連結されて、ペイゲート（ｐａｙ  ｇａｔｅ）にリンクされて決済サービスが提供されることができる。
【００５７】
有線通信部３３は、例えば、有線ラン（ＬＡＮ）連結によってインターネット網のようなネットワークに連結され、連結された外部ネットワークを介してマッピングサーバー５０との通信を行うことができる。無線通信部３５は、例えば、ワイファイ（Ｗｉ−Ｆｉ：登録商標）及びブルートゥース（登録商標）のような無線連結によって近距離移動通信網に連結されて、マッピングサーバー５０との通信を行うことができる。
【００５８】
前述のように、表示制御コンピュータ１０は、ディスプレイ領域ＤＡで発生するタッチイベントを認識するためのタッチスクリーン・インターフェースを備えることができる。また、図示していないが、表示制御コンピュータ１０は、ユーザの命令を入力するためのキーボード、マウス及びプリンターのような他の入出力インターフェース部（図示せず）をさらに備えることができる。
【００５９】
携帯端末装置４０は、端末用アプリケーション４１、通信モジュール４３及びそれらを制御するための制御部４５を備えることができる。通信モジュール４３は、マッピングサーバー５０及び表示制御コンピュータ１０との通信連結を行い、３Ｇ、ブルートゥース、ワイファイのような多様な方式による有線及び／または無線ネットワーク連結モジュールを備えることができる。制御部４５は、中央処理装置またはマイクロプロセッサーであってもよい。
【００６０】
端末用アプリケーション４１は、端末コール信号に関する情報を認識し、応答信号を発生させ、マッピングサーバー５０との間でマッピング情報を送受信して、表示制御コンピュータ１０とリンクを行うために携帯端末装置にインストールされるプログラムである。また、端末用アプリケーション４１は、携帯端末装置４０に含まれた構成要素、例えば、通信モジュール４３及び光センサーモジュール４５を直接または運営体制を介して制御することができ、マッピングサーバー５０と端末コール信号に関する情報及びマッピング情報を送受信し、マッピングサーバー５０から提供される各種のサービスに関連する作業を行い、表示制御コンピュータ１０とメッセージ、情報及び／またはマルチメディアコンテンツの交換及び／または共有、取り引き、ゲームに関連する作業を行うことができる。端末用アプリケーション４１は、ユーザがアプリケーションストアを介して、またはマッピングサーバー５０に接続してダウンロードして設置されることができる。
【００６１】
端末用アプリケーション４１は、端末コール信号を認識するために、ディスプレイ領域ＤＡのコール領域ＣＡ上で撮像されたイメージの色情報を解釈することができる。例えば、イメージの色情報は、ＲＧＢコードまたはカラー空間であってもよい。一般的に、ＲＧＢカラー空間で、黄色は、色座標（Ｒ、Ｇ、Ｂ）＝（２５５、２５５、０）で解釈され、青色は、色座標（Ｒ、Ｇ、Ｂ）＝（０、０、２５５）によって解釈され、白色は色座標（Ｒ、Ｇ、Ｂ）＝（２５５、２５５、２５５）で解釈されることができる。例示した数値“０、２５５”は階調を意味する。黄色は、Ｒ値及びＧ値がＢ値より大きく、青色は、Ｂ値がＲ値及びＧ値より大きい。それにより、端末用アプリケーション４１は、撮像されたイメージに関する情報、すなわち、ＲＧＢコードと、端末コール信号が色シーケンス情報で表現される場合、その色の変化タイミング及び／または色シーケンス情報の再生時間を読み出すことができる。
【００６２】
端末用アプリケーション４１は、読み出されたイメージの色情報を端末コール信号に対する応答信号としてマッピングサーバー５０に伝送することができる。他の実施形態として、端末用アプリケーション４１は、端末コール信号に対する応答信号として、端末コール信号に内在して、それから読み出された表示制御コンピュータ１０の識別子情報をマッピングサーバー５０に伝送することができる。一部の実施形態として、前記応答信号には、表示制御コンピュータ１０の識別子情報とともに表示制御コンピュータ１０が２以上の携帯端末装置を認識する場合、認識される携帯端末装置の順序に関する情報も含むことができる。
【００６３】
また、前記端末コール信号に対する応答信号は携帯端末装置４０の識別子情報を含むことができ、端末用アプリケーション４１は、それをマッピングサーバー５０に伝送することができる。携帯端末装置４０の前記識別子情報は、ネットワーク上で連結された多数の端末装置のうち、自身を区別するために与えられる携帯端末装置４０の固有の情報である。携帯端末装置４０の識別子情報は、ＩＰアドレス、ＭＡＣアドレス、モデムシリアルナンバー、ネットワーク装置のシリアルナンバー、システムボードのシリアルナンバー、ユーザ個人識別情報、電話番号及び固有デバイスＩＤ（ＵＤＩＤ）のうち何れか一つまたはこれらの組合で構成されることができる。しかし、本発明がこれに制限されるものではない。一部の実施形態として、端末用アプリケーション４１は、ログインインターフェースを備えることができ、端末用アプリケーション４１がユーザによって実行されるときに、ログイン・ステップが活性化されると同時に、携帯端末装置４０の識別子情報がマッピングサーバー５０に予め伝送されることができる。
【００６４】
前記応答信号を受信したマッピングサーバー５０は、表示制御コンピュータ１０の識別子情報及び携帯端末装置４０の識別子情報を利用して表示制御コンピュータ１０と携帯端末装置４０とを互いにマッピングさせることによって、ネットワーク上でこれらは互いにリンクされる。前記応答信号は、前記端末コール信号が有する情報の一部または全部を含むことができる。あるいは、前記応答信号は、携帯端末装置の識別子情報をさらに含んでもよい。
【００６５】
一部の実施形態として、前記マッピングは、ディスプレイ制御装置１０の端末コール信号が有する情報と、これから認識されて生成された携帯端末装置４０の応答信号とを比較して、互いに合致するか否かを判断するステップによって行われることができる。このように、マッピングサーバー５０は、ディスプレイ制御装置１０の端末コール信号が有する情報と、携帯端末装置４０の応答信号が有する情報とをマッピングさせることによって、これらのリンクを達成することができる。
【００６６】
このように、マッピングが完了すれば、マッピングサーバー５０は、表示制御コンピュータ１０と携帯端末装置４０とが互いにリンクされたというコネクションイベントに対して固有なＩＤを発給することができ、前記固有なＩＤに基づいて、マッピングサーバーそのものによって、またはネットワーク上の他のサーバーまたはクラウドシステムによってデータの共有、伝達、取り引きのような情報処理が行われることができる。他の実施形態として、マッピングサーバー５０によって表示制御コンピュータ１０と携帯端末装置４０とがＩＰを相互に交換する場合、ソケット接続のような方式により１：１通信が行われることができる。このようなリンク方式は例示的なものであり、表示制御コンピュータ１０と携帯端末装置４０とのリンク及びそれに基づくサービスは２段（ｔｉｅｒ）または３段以上の多段のデザインに拡張されることができる。
【００６７】
一つの表示制御コンピュータ１０に複数の携帯端末装置がリンクされる場合、表示制御コンピュータ１０は、複数の携帯端末装置にそれぞれ対応する複数のコール領域ＣＡを生成し、該当コール領域ＣＡに表示する相異なる複数の端末コール信号をマッピングサーバー５０に要請することができる。マッピングサーバー５０は、相異なる端末コール信号、例えば、相異なる色情報及び／または色シーケンス情報を生成して表示制御コンピュータ１０に提供することができる。他の実施形態として、前述のように、表示制御コンピュータ１０が独自のライブラリーを利用して、複数のコール領域ＣＡに表示される複数の端末コール信号を生成することができ、生成された端末コール信号に関する情報及び、選択的には、コンピュータ用識別子情報とともにマッピングサーバー５０に伝送することも可能である。例えば、第１色シーケンスは、‘赤色−緑色−青色’であり、第２色シーケンスは、‘黄色−赤色−青色’の順序を有することができ、マッピングサーバー５０は、一つのコンピュータ識別子情報と複数の携帯端末装置の識別子情報とを利用して１：多数でマッピング情報を構成する。
【００６８】
このように、マッピングサーバー５０は、ローカル領域で互いにマッピングされた表示制御コンピュータ１０と携帯端末装置４０とをマッピングさせて、ネットワーク上でリンクさせることができる。構成されたマッピング情報は、マッピングサーバー５０のデータベース５３に保存／管理され、マッピングのための演算は、マッピング部５１で行われることができる。
【００６９】
データベース５３には、コンピュータ識別子情報と端末装置の識別子情報とが保存／管理されることができる。マッピングサーバー５０が表示制御コンピュータ１０と携帯端末装置４０とを１：１で、複数の携帯端末装置がリンクされる場合には、１：多数でこれらをマッピングさせ、構成されたマッピング情報をデータベース５３に保存することができる。
【００７０】
マッピング部５１は、表示制御コンピュータ１０と携帯端末装置４０とのマッピングやリンクのためのソフトウェア及びハードウェアのような情報処理装置の結合体であってもよい。リンクされた表示制御コンピュータ１０と携帯端末装置４０とはＰ２Ｐ（ｐｅｅｒ−ｔｏ−ｐｅｅｒｎｅｔｗｏｒｋ）方式、マッピングサーバー５０との関係でクライアント−サーバー方式またはこれらが組み合わせられた方式により連結されてもよい。あるいは、マッピング部５１は、表示制御コンピュータ１０と携帯端末装置４０とを１：１または１：多数の関係でマッピングさせることができることは前述の通りである。
【００７１】
一部の実施形態として、マッピングサーバー５０は、表示制御コンピュータ１０のコンピュータ識別子情報と携帯端末装置４０の識別子情報とをそれぞれディスプレイ領域ＤＡのコール領域の位置情報、例えば、ディスプレイ領域ＤＡ上の座標情報もデータベース５３で保存／管理されることができ、この情報を含めて表示制御コンピュータ１０と携帯端末装置とをマッピングさせることができる。前記座標情報は、２次元の平面上で実質的な座標であってもよく、表示制御コンピュータ１０及びマッピングサーバー５０が認識するための一種のコードであってもよい。一部の実施形態としては、前記位置情報も、追加的な色情報として該当コール領域上で前記端末コール信号に結合されて表示され、携帯端末装置のカメラによって認識されることができる。
【００７２】
マッピング部５１は、表示制御コンピュータ１０のコンピュータ識別子情報、携帯端末装置の識別子情報及び、選択的には、座標情報を相互にマッピングさせ、構成されたマッピング情報をデータベース５３に保存することができる。マッピング情報は、基本的にマッピングサーバー５０によって保存／管理され、必要によってネットワークを構成するコンピュータ装置にマッピング情報の一部が選択的に共有されることができる。
【００７３】
例えば、図３に示されるように、マッピング情報ＭＩは、複数のマッピング情報ＭＩ＿１、ＭＩ＿２を含むことができ、それぞれのマッピング情報は、コンピュータ識別子情報ＣＩ、端末装置識別子情報ＰＩ及び、選択的には、座標情報ＬＩを含むことができる。第１マッピング情報ＭＩ＿１は、一つの表示制御コンピュータ１０に２つの携帯端末装置がマッピングされた場合であり、第２マッピング情報ＭＩ＿２は、一つの表示制御コンピュータ１０に一つの携帯端末装置４０がマッピングされた場合である。コンピュータ識別子情報ＣＩは、表示制御コンピュータ１０に与えられたＩＰアドレスを例示し、端末装置識別子情報ＰＩは電話番号を例示し、座標情報ＬＩはＸＹ座標または領域別のネームで構成されることができる。第１マッピング情報ＭＩ＿１は、例えば、２０１．１２３．１２３．１２３のＩＰアドレスを有する表示制御コンピュータ１０と、第１領域ＬＩ＿１に配置された第１端末装置の識別子情報ＰＩ＿１及び第２領域ＬＩ＿２に配置された第２端末装置の識別子情報ＰＩ＿２で構成される。マッピング情報ＭＩが保存されるデータベースは、例えば、階層型データベース、ネットワーク型データベース、関係型データベースまたはオブジェクト指向型データベース、またはこれらの組合わせを含むことができ、本発明がこれに制限されるものではない。
【００７４】
一部の実施形態として、マッピングサーバー５０は、表示制御コンピュータ１０及び携帯端末装置４０にメッセージ、情報、ゲーム、マルチメディアコンテンツ、広告のようなデータを提供し、これらの間のデータの伝達及び共有のような要求に対応するサービスを処理するためのサービス提供部５５をさらに備えることができる。サービス提供部５５は、マッピングサーバー５０そのものが直接表示制御コンピュータ１０及び携帯端末装置４０にサービスを提供することに制限されず、他のサービスを提供するサーバーまたはクラウドシステムへの接続のためのゲートを提供することも含む。このようなサービス提供部５５は、ソフトウェアとマイクロプロセッサーのような情報処理装置との結合体であってもよい。
【００７５】
前述のようなマッピングサーバー５０のマッピング部５１、データベース５３及びサービス提供部５５は、本発明の実施形態による動作を行うために、一つ以上のハードウェアまたは前記動作を行うための命令を含むソフトウェアで構成されることができる。また、マッピング部５１、データベース５３及びサービス提供部５５は、物理的に別個に存在するマイクロプロセッサー及び／またはソフトウェアによってそれぞれ実行されるか、または前記マイクロプロセッサー及び／またはソフトウェアの一部または全部を共有するように構成されることも可能である。また、マッピングサーバー５０は、中央集中式システム、リソースが分散した分散システム、またはクラウドシステムであってもよい。
【００７６】
前述のように、表示制御コンピュータ１０とディスプレイ領域ＤＡ上の携帯端末装置４０との間にリンクが成立すれば、ディスプレイ部１１と携帯端末装置４０との間に直観的なインターフェースが形成されることができる。ユーザは、端末用アプリケーションを操作するか、またはそれに基づいて携帯端末装置に保存された情報、メッセージ、マルチメディアコンテンツのようなデータを表示制御コンピュータ１０に伝達したり共有することができ、この場合、共有されたデータは、ディスプレイ領域ＤＡ上に表示されることができる。逆に、ユーザは、コンピュータ用アプリケーションを操作するか、またはそれに基づいて表示制御コンピュータに保存されたデータを携帯ディスプレイ装置に伝達したり共有させることができる。また、ディスプレイ領域ＤＡ上に複数の携帯端末装置が存在する場合、携帯端末装置の間でもデータを伝達したり共有することができる。
【００７７】
一部の実施形態として、ディスプレイ部１１がタッチスクリーン・インターフェースを備える場合、タッチイベントによってさらに便利かつ新たなユーザ経験が提供されることができる。例えば、レストランの場合、ディスプレイ領域ＤＡ上にメニューリストが表示されれば、ユーザは、メニューリスト中の該当メニューを押すことによって食べ物を選択することができる。その後、該当食べ物や計算された全体金額が表示された領域から、自身の携帯端末装置があるコール領域へドラッグまたはクリックすれば、自身の携帯端末装置は料金が計算されることと認識し、該当ユーザに対する電子決済サービスが開始されることができる。
【００７８】
電子決済については、クーポンのような多様なサービスが結合されて実施されることができる。他の実施形態として、携帯端末装置のディスプレイ部に共有しようとするデータを活性化させ、該当装置があるコール領域から他の装置があるコール領域へドラッグすることで、前記データの伝送または共有が行われることができる。前述のような動作は例示的なものであり、前記位置が認識された携帯端末装置と表示制御コンピュータ１０及び／または他の携帯端末装置との間で、メッセージの送受信、電子決済、コンテンツ情報のようなデータの交換及び共有、ゲーム、教育、講義、会議など、テーブル上で行われ得る多様な活動が複雑なネットワークの設定を行わずに電子的に行われることができる。
【００７９】
前述のように、本発明は、ディスプレイ領域ＤＡの一つ以上の特定の領域で端末コール信号を発生させ、端末コール信号をディスプレイ領域ＤＡ上に位置した携帯端末装置４０が認識して、ディスプレイ装置２０を制御するコンピュータ１０と携帯端末装置４０とをマッピングさせ、ネットワーク上にリンクさせることによって、表示制御コンピュータ１０と携帯端末装置４０との接続やデータ通信をさらに簡単かつ新規な方式により具現することができるマッピングサーバー５０及びマッピングシステム１００を提供することができる。
【００８０】
また、ディスプレイ領域ＤＡ上の携帯端末装置４０の位置の認識やユーザのタッチ入力により、ディスプレイ領域ＤＡ上に表示された情報と携帯端末装置４０との間で多様な情報処理過程を達成することによって、新しいユーザ経験を提供することができる。
【００８１】
図４は、本発明の一つの実施形態によるマッピングシステムのマッピング方法を示すフローチャートである。
【００８２】
図４に示されるように、表示制御コンピュータ１０に設置されたコンピュータ用アプリケーション３１が実行される（Ｓ１１）。コンピュータ用アプリケーション３１が実行されれば、別途の入力を行わずに、表示制御コンピュータ１０は、ディスプレイ部１０のタッチ入力を監視する待機モードになることができる。ユーザが所持する携帯端末装置４０に設置された端末用アプリケーション４１も実行されることができる（Ｓ４１）。端末用アプリケーション４１が実行されれば、携帯端末装置４０は、光センサーモジュール４５を駆動して、端末コール信号を感知するための待機モードになることができる（Ｓ４２）。
【００８３】
ユーザが、携帯端末装置４０を表示制御コンピュータ１０のディスプレイ領域ＤＡに位置させれば、表示制御コンピュータ１０は、携帯端末装置４０のタッチを認識する（Ｓ１２）。次いで、表示制御コンピュータ１０は、マッピングサーバー５０に端末コール信号を要請するとともに、コンピュータ識別子情報を伝送する（Ｓ１３）。前記コンピュータ識別子情報は、ネットワーク上で表示制御コンピュータ１０を認識するための情報、例えば、ＩＰアドレスを含むことができる。他の実施形態として、コンピュータ用アプリケーション３１が実行されるときに、マッピングサーバー５０にログインされると同時に、ログイン情報及び該当識別子情報が伝送されることができる。
【００８４】
表示制御コンピュータ１０とネットワーク６０上で連結されたマッピングサーバー５０は、端末コール信号を要請するとともに、コンピュータ識別子情報を受信する（Ｓ５１）。マッピングサーバー５０は、端末コール信号を生成する（Ｓ５２）。他の実施形態として、表示制御コンピュータ１０が自ら端末コール信号を生成し、それをコンピュータ識別子情報とともにマッピングサーバー５０に伝送することも可能である。
【００８５】
次いで、マッピングサーバー５０は、コンピュータ識別子情報に含まれたＩＰアドレスを有する表示制御コンピュータ１０に生成された端末コール信号を伝送する（Ｓ５３）。表示制御コンピュータ１０は、マッピングサーバー５０から端末コール信号を受信することができる（Ｓ１４）。表示制御コンピュータ１０が自ら端末コール信号を生成した場合、ステップＳ５３及びステップＳ１４は省略されることができる。
【００８６】
マッピングサーバー５０または表示制御コンピュータ１０が生成した端末コール信号は、コール領域ＣＡに表示される色情報を含み、携帯端末装置４０がそれを認識する。前記色情報は、一つの色で構成されてもよく、複数の色が経時的に変化する色シーケンス情報を含んでもよい。
【００８７】
表示制御コンピュータ１０は、携帯端末装置４０が位置したディスプレイ領域ＤＡに十分なサイズのコール領域ＣＡを形成し、コール領域ＣＡに端末コール信号を表示する（Ｓ１５）。端末コール信号の色シーケンスによって、例えば、‘赤色−緑色−青色’の順に色が表示されることができる。前記色の間には、黒色または白色が表示されて、前記色シーケンスが点滅するように表示されることができる。
【００８８】
携帯端末装置４０は、カメラＣＭを介して端末コール信号を認識する（Ｓ４３）。携帯端末装置４０がコール領域ＣＡにディスプレイされる端末コール信号を認識するために、ユーザは、カメラＣＭが配置された携帯端末装置４０の表面、例えば、背面をディスプレイ領域ＤＡに向かわせなければならない。前述のように、端末用アプリケーション４１は、端末コール信号を認識するために、撮像されたイメージの色情報を読み出し及び分析することができる。その後、携帯端末装置４０は、前記端末コール信号に対応する応答信号を生成する（Ｓ４４）。携帯端末装置４０は、端末装置の識別子情報を含む応答信号をマッピングサーバー５０に伝送する（Ｓ４５）。端末用アプリケーション４１は、読み出されたイメージの色情報を端末コール信号を認識するための応答信号としてマッピングサーバー５０に伝送することができる。マッピングサーバー５０は、携帯端末装置４０から応答信号を受信する（Ｓ５５）。マッピングサーバー５０は、前記応答信号に含まれた携帯端末装置４０の識別子情報を読み出すことができる。
【００８９】
一部の実施形態として、表示制御コンピュータ１０は、複数の携帯端末装置とリンクされる必要がある場合、複数の端末コール信号をマッピングサーバー５０に要請するか、または自ら生成することができ、必要によって座標情報をさらに生成することができる（Ｓ１６）。前記座標情報は、ディスプレイ領域ＤＡの２次元の平面上の実質的な座標であってもよく、表示制御コンピュータ１０及びマッピングサーバー５０が認識するための一種のコードであってもよい。表示制御コンピュータ１０は、端末コール信号が表示されたコール領域ＣＡの座標情報をマッピングサーバー５０に伝送する（Ｓ１７）。マッピングサーバー５０は、表示制御コンピュータ１０から座標情報を受信することができる（Ｓ５４）。
【００９０】
マッピングサーバー５０は、表示制御コンピュータ１０のコンピュータ識別子情報と携帯端末装置４０の識別子情報とをマッピングさせる（Ｓ５６）。マッピング部５１は、コンピュータ識別子情報、端末装置の識別子情報及び、選択的には、座標情報を相互にマッピングさせ、構成されたマッピング情報をデータベース５３に保存することができる。
【００９１】
マッピングサーバー５０は、表示制御コンピュータ１０及び携帯端末装置４０のうち何れか一つまたは両方にマッピング情報を伝送する（Ｓ５７）。表示制御コンピュータ１０及び／または携帯端末装置４０のうち何れか一つまたは両方は前記マッピング情報を受信する（Ｓ１８、Ｓ４６）。表示制御コンピュータ１０と携帯端末装置４０は、前記マッピング情報に基づいてディスプレイ領域ＤＡ上でリンクされる（Ｓ１９）。同様に、携帯端末装置４０も表示制御コンピュータ１０とリンクされる（Ｓ４７）。携帯端末装置４０は、移動通信網を介して、表示制御コンピュータ１０は、近距離通信網を介して互いにネットワーク上で連結されることができる。このように、携帯端末装置４０と表示制御コンピュータ１０とがリンクされれば、両者間にメッセージ、文書、マルチメディアコンテンツの共有、伝達、電子取り引き、ゲーム、情報の処理のような多様なサービスが行われることができ、そのためのデータの伝送は、ファイル、パケット、ストリームなどの多様な方式により行われることができる。
【００９２】
図５は、本発明の一つの実施形態によるコンピュータで読み取り可能な記憶媒体２００を示す。図５に示されるように、記憶媒体２００は、本明細書に開示されたマッピング方法２３０及びマッピングシステムを具現するための命令２２０からエンコードされたデータ２１０を含むことができる。前記命令は、例えば、コンパイラによって形成される機械語コードだけでなく、インタープリターなどを使用してコンピュータによって実行可能な高級言語コードを含む。
【００９３】
このようなコンピュータで読み取り可能な記憶媒体２００は、例えば、ＲＡＭ（ＲａｎｄｏｍＡｃｃｅｓｓ Ｍｅｍｏｒｙ）、ＲＯＭ（Ｒｅａｄ Ｏｎｌｙ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ Ｏｎｌｙ Ｍｅｍｏｒｙ）及びフラッシュメモリのような不揮発性メモリ装置、ＣＤ‐ＲＯＭ、ＤＶＤ−ＲＯＭ、ハードディスク、光またはホログラフィックメディア、磁気テープ、記憶装置（ＳＳＤ）であってもよい。しかし、これらは単に例示的なものであり、本発明がこれに制限されるものではない。
【００９４】
前述のような本発明の実施形態は、プログラミング及び／または工学技術を利用して、ソフトウェア、ファームウェア、ハードウェア、製造物または、例えば、クラウド・コンピュータ環境のような、これらが組み合わせられたものを生産するために、前記方法、システムまたは記憶媒体タイプによって実行されることができ、前記製造物は、コンピュータプログラム、搬送波、またはメディアをすべて含むことができる。
【００９５】
前述のような実施形態は、単一の表示制御コンピュータと一つまたは複数の携帯端末装置とのリンクを開示しているが、これは単に例示的なものであり、本発明がこれに制限されるものではない。例えば、複数の表示制御コンピュータと複数の携帯端末装置との間で多数：多数のリンクも成立することができ、そのために、マッピングサーバーは、複数の表示制御コンピュータをあらかじめ連結し、前述のように、複数の携帯端末装置をそれぞれの表示制御コンピュータにリンクさせることによって、多数：多数のリンクを達成することができるであろう。
【００９６】
本発明の一実施形態によれば、端末コール信号は、一つ以上のディスプレイ領域で生成され、前記ディスプレイ領域上の携帯端末装置は、応答信号を生成するために、光センサーを介して前記端末コール信号を受信し、マッピングサーバは、前記端末コール信号と前記応答信号をマップさせて、前記ディスプレイ制御コンピュータと前記携帯端末装置とをネットワーク上でリンクさせて、データ交換を可能にする。
【００９７】
また、前記ディスプレイ領域は、タッチスクリーン・インターフェースと結合されることによって、ディスプレイ制御コンピュータと携帯端末装置との間で、ドラッグ・アンド・ドロップまたはタッチのようなジェスチャーを通じてデータの共有と交換が行われる多様なユーザ経験及びインターフェースが提供されることができる。
【００９８】
以上で説明した本発明が前述のような実施形態及び添付図面に制限されず、本発明の技術的思想を逸脱しない範囲内で多様な置換、変形及び変更が可能であることは、当業者にとっては明らかである。例えば、マッピングサーバは、ディスプレイ制御コンピュータ、すなわち、ローカルサーバーに提供されることができる。この場合、ディスプレイ制御コンピュータと携帯端末装置は、より個人的かつ地域的な方法でマップ及びリンクされることができる。前記の特徴は、ディスプレイ制御コンピュータの周辺機器のような携帯端末装置とディスプレイ制御コンピュータのペアリングを具現するために利用されることができる。また、前記の特徴は、モバイル装置の間に、またはメイン装置及び携帯周辺機器の間に適用されることができる。これらの例は、すべて本発明に含まれる。
【符号の説明】
【００９９】
１０  表示制御コンピュータ
１１  ディスプレイ部
３０  制御部
３１  コンピュータ用アプリケーション
３３  有線通信部
３５  無線通信部
４０  携帯端末装置
４１  端末用アプリケーション
４３  通信モジュール
４５  制御部
５０  マッピングサーバー
５１  マッピング部
５３  データベース
５５  サービス提供部
６０  ネットワーク
【図１】
2014002746.tif 000003
【図２】
2014002746.tif 000004
【図３】
2014002746.tif 000005
【図４】
2014002746.tif 000006
【図５】
2014002746.tif 000007